(57)【特許請求の範囲】
【請求項１】
ガスクロマトグラフィにおけるガス成分の分析装置であって、
クロマトグラムにおける、あるガス成分のピークに１種以上の他のガス成分のピークが重複している重複ピークについて、前記重複ピークにおける傾きの絶対値の極小値を複数検出したときに、前記他のガス成分が存在することを判定する判定部を備え、
前記判定部は、
前記極小値のうち、前記他のガス成分に起因する前記極小値における時間に基づいて前記他のガス成分の定性分析を行い、
前記他のガス成分に起因する前記極小値を対象極小値とし、前記対象極小値の後に現れる、前記重複ピークにおける傾きの絶対値の極大値を対象極大値とし、前記対象極小値の値と前記対象極大値の値との差と前記他のガス成分の濃度との相関関係に基づいて前記他のガス成分の定量分析を行う分析装置。
【発明の詳細な説明】
【技術分野】
【０００１】
本発明は、ガスクロマトグラフィにおけるガス成分の分析装置、特に、クロマトグラムにおける、あるガス成分のピークに１種以上の他のガス成分のピークが重複している重複ピークについてのガス成分の分析装置に関する。
【背景技術】
【０００２】
従来、この種の分析装置として、例えば、ガス種とその濃度ごとの波形を記憶してあるデータベースを用いて、記憶してある波形を任意の比で足し合わせて重複ピークを再現するものがある（以下、従来例１と称する）。この装置では、重複ピークを再現する各波形に基づいて、複数のガス成分の存在の判定や、各ガス成分の同定及び濃度決定を行うことができる。
【０００３】
また、クロマトグラムの重複ピークに極大値が複数ある場合は、その極大値の数は重複ピークに含まれるガス成分の種別数を表すと考えられる。このため、複数のガス成分が存在しているかどうかを判定することを目的として、ピークにおける極大値の数を判定することも考えられる（以下、従来例２と称する）。
【０００４】
従来例１の装置は、重複ピークを再現するための波形データをガス種とその濃度ごとに網羅的に記憶したデータベースと、記憶された膨大な波形データの組み合わせの中から最適解を求めるための高い解析処理能力とを有している必要がある。このように高い能力が求められるため、従来例１の装置はコストが高くなりやすい不利益がある。例えば、装置の簡略化・低廉化が求められるポータブル式の分析装置には特に不向きである。
【０００５】
従来例２の方法は、極大値の数を判定するのみの簡易な方法であり、従来例１の装置に比べ、従来例２の方法を行う装置に求められる能力は低く済む。ただし、各ガス成分の同定及び濃度決定を行うことはできない。また、重複ピークを構成するガス成分のうち、主となるガス成分の濃度と他のガス成分の濃度とに大きく差がある場合には、主のガス成分のピークに他のガス成分のピークが埋もれて極大値として現れなくなることがある。この場合には、従来例２の方法では、複数のガス成分が存在しているかどうかを判定することは困難となり、判定の確実性に問題がある。
【発明の概要】
【発明が解決しようとする課題】
【０００６】
簡易な方法で、確実性高く重複ピークについてのガス成分の判定等の分析を行うことができる分析装置が望まれる。
【課題を解決するための手段】
【０００７】
本発明に係るガスクロマトグラフィにおけるガス成分の分析装置は、
クロマトグラムにおける、あるガス成分のピークに１種以上の他のガス成分のピークが重複している重複ピークについて、前記重複ピークにおける傾きの変化に基づいて前記他のガス成分が存在することを判定する判定部を備える。
【０００８】
この構成によれば、クロマトグラムにおいて、主のガス成分のピークに他のガス成分のピークが埋もれて極大値として現れなくなる場合でも（図２参照）、重複ピークにおける傾きの変化であれば、図３，４に示すように、他のガス成分を示すピークが明確に極大値をもって現れることとなる。このため、他のガス成分の存在を確実性高く判定できる。また、重複ピークにおける傾きの変化は、微小時間ごとの出力値の差分をとるなど、簡易な方法により求めることができる。従って、簡易な方法で、確実性高く重複ピークについてのガス成分の判定を行うことができる。
【０００９】
以下、本発明に係る分析装置の好適な態様について説明する。但し、以下に記載する好適な態様例によって、本発明の範囲が限定される訳ではない。
【００１０】
１つの態様として、判定部は、前記重複ピークにおける傾きの絶対値の極小値を複数検出したときに、前記他のガス成分の存在を検出すると好適である。
【００１１】
クロマトグラムのピークにおける傾きの絶対値の極小値は、１種のガス成分に基づくピークの場合は１つしか現れないが（図３におけるＣ５参照）、２種以上のガス成分のピークが重複して現れる重複ピークの場合は極小値が複数現れる（図３におけるＣ１〜Ｃ４参照）。この知見に基づいて、この態様では、極小値を複数検出したときに他のガス成分が存在することを判定する。これにより、より確実性高く重複ピークについてのガス成分の判定を行うことができる。また、極小値の検出は、傾きの絶対値の時間変化が減少から増加に変わる点を求めるという簡易な方法で行うことができる。従って、簡易な方法で、より確実性高く重複ピークについてのガス成分の判定を行うことができる。
【００１２】
１つの態様として、判定部は、前記極小値のうち、前記他のガス成分に起因する前記極小値における時間に基づいて前記他のガス成分の定性分析を行うと好適である。
【００１３】
発明者は知見により、極小値における時間が、この極小値に起因するガス成分の種類と関連を有することを発見した。つまり、この態様によれば、極小値における時間とこの極小値に対応するガス成分との関係を利用して、極小値における時間に基づいてガス成分の定性分析を行うことができる。また、その分析は、重複ピークの傾きとその極小値を求めるといった簡単な演算を行うのみの簡易な方法で済む。従って、簡易な方法で、重複ピークについてのガス成分の定性分析を行うことができる。
【００１４】
１つの態様として、判定部は、前記他のガス成分に起因する前記極小値を対象極小値とし、前記対象極小値の後に現れる、前記重複ピークにおける傾きの絶対値の極大値を対象極大値とし、前記対象極小値の値及び／又は前記対象極大値の値に基づいて前記他のガス成分の定量分析を行うと好適である。
【００１５】
この態様によれば、前記対象極小値の傾きの値や前記対象極大値の傾きの値とガス成分の濃度との相関関係の一例である、前記対象極小値の傾きの値と前記対象極大値の傾きの値との差とガス成分の濃度との相関関係を用いて定量分析を行う。このため、重複ピークの傾きやその極小値・極大値を求めるといった簡単な演算を行うのみの簡易な方法で、重複ピークについてのガス成分の定量分析を行うことができる。
【００１６】
１つの態様として、判定部は、前記定量分析を、前記対象極小値の値と前記対象極大値の値との差と前記他のガス成分の濃度との相関関係に基づいて行うと好適である。
【００１７】
この態様によれば、前記対象極小値の傾きの値や前記対象極大値の傾きの値とガス成分の濃度との相関関係の一例である、前記対象極小値の傾きの値と前記対象極大値の傾きの値との差とガス成分の濃度との相関関係を用いて定量分析を行う。このため、重複ピークの傾きやその極小値・極大値を求めるといった簡単な演算を行うのみの簡易な方法で、重複ピークについてのガス成分の定量分析を行うことができる。
【図面の簡単な説明】
【００１８】
【図１】分析装置の構成図
【図２】エチルベンゼンとｐ−キシレンとの混合ガスのクロマトグラム
【図３】図２におけるクロマトグラムの傾きの絶対値の時間変化を示すグラフ
【図４】図３のグラフのｐ−キシレンに起因する部分を拡大したグラフ
【図５】対象極小値の値と対象極大値の値との差とｐ−キシレンの濃度との相関関係を示すグラフ
【発明を実施するための形態】
【００１９】
本発明に係るガスクロマトグラフィにおけるガス成分の分析装置について、図面を参照して説明する。本発明に係る分析装置１は、クロマトグラムにおける、あるガス成分のピークに１種以上の他のガス成分のピークが重複している重複ピークについて、重複ピークにおける傾きの変化に基づいて前記他のガス成分の存在を判定する判定部８を有している。
【００２０】
即ち、この分析装置１は、ガスクロマトグラフィにおけるガス成分の分析方法であって、クロマトグラムにおける、あるガス成分のピークに１種以上の他のガス成分のピークが重複している重複ピークについて、前記重複ピークにおける傾きの変化に基づいて前記他のガス成分が存在することを判定する分析方法を行う。さらに、この分析装置１は、前記重複ピークにおける傾きの絶対値の極小値を複数検出したときに、前記他のガス成分が存在することを判定する分析方法、前記極小値のうち、前記他のガス成分に起因する前記極小値における時間に基づいて前記他のガス成分の定性分析を行う分析方法、前記他のガス成分に起因する前記極小値を対象極小値とし、前記対象極小値の後に現れる、前記重複ピークにおける傾きの絶対値の極大値を対象極大値とし、前記対象極小値の値及び／又は前記対象極大値の値に基づいて前記他のガス成分の定量分析を行う分析方法、並びに、前記定量分析を、前記対象極小値の値と前記対象極大値の値との差と前記他のガス成分の濃度との相関関係に基づいて行う分析方法を行う構成にしてある。以下、本発明の分析装置１について、詳細に説明する。
【００２１】
まず、本発明における分析装置１は、図１に示すように、キャリアガスを導入するガスボンベ２、導入するキャリアガスの流量を制御する流量制御部３、分析対象の試料を注入する導入部４、キャリアガスにより運ばれたサンプルガスを分離するカラム５、カラムの温度管理を行うヒーター６、及び、カラム５により分離されたガス成分の濃度に基づく信号を発生するセンサ７を備えており、一般的なクロマトグラフが備える構成を有している。さらに、本発明における分析装置１は、センサ７からの出力信号からサンプルガスに含まれるガス成分の判定などの各種分析を行う判定部８を備える。なお、この判定部８は、後述する分析を行うための分析用アルゴリズム、定性分析や定量分析を行うための各種のデータを備えるデータベースを格納する記憶部を有している。
【００２２】
この分析装置１では、導入部４から注入した分析対象の試料Ｓを、ガスボンベ２から導入するキャリアガスによりカラム５に運び、分析対象の試料Ｓをカラム５に通すことで試料Ｓ中の各ガス成分を分離する。そして、センサ７により各ガス成分の濃度に応じた信号を出力し、その出力信号を判定部８により分析する。
【００２３】
判定部８は、記憶部に格納してある分析用アルゴリズムにより、センサ７からの出力信号に基づくクロマトグラムについての分析を行う。具体的には、判定部８では、クロマトグラムにおける重複ピーク（あるガス成分のピークに１種以上の他のガス成分のピークが重複しているピークを意味する）について、（ａ）複数のガス成分が存在することの判定、判定したガス成分についての（ｂ）定性分析及び（ｃ）定量分析を行う。以下では、２種のガス成分のピークが重複している重複ピークに対する（ａ）〜（ｃ）の分析についてそれぞれ説明する。
【００２４】
（ａ）複数のガス成分が存在することの判定
判定部８は、複数のガス成分が存在することを判定するため、ピークＰについて設定時間ごとに（例えば１秒ごとや３秒ごとに）その出力値の差分を取り、各区間における傾きの絶対値を求めて、例えば図３に示すような、ピークＰにおける傾きの絶対値の時間変化を求める。そして、判定部８は、この時間変化が減少から増加に変わる極小値の数を判定し、極小値が複数（２つ又は３つ）検出された場合に、試料に複数（２種）のガス成分が存在することを判定する。
【００２５】
説明すると、クロマトグラムのピークにおける傾きの絶対値の極小値は、ピークが１種のガス成分にのみ起因するものであった場合には１つしか現れないが（後述する図３におけるＣ５）、２種以上のガス成分のピークが重複して現れる重複ピークの場合は極小値が複数（２つ又は３つ）現れる（後述する図３におけるＣ１〜Ｃ４）。これを利用して、判定部８では、極小値の数を判定し、極小値が複数（２つ又は３つ）現れる場合に、試料Ｓに複数（２種）のガス成分が含まれていることを判定する。
【００２６】
（ｂ）定性分析
通常、クロマトグラフィにおけるガス成分の定性分析は、ガス成分がセンサ７により検出されるまでの時間（ピークが立ち上がって最大値に達する時間）、即ち、保持時間とガス成分の種類の関係に基づいて行われる。この判定部８でも、センサ７の出力信号からクロマトグラムにおいて、出力値が０で一定の状態から増加し最大値（又は極大値）に達するピーク到達時間を求めることで保持時間を求め、この保持時間に基づき、記憶部に格納してあるデータベースを参照して、ピークに対応するガス成分の同定を行う。
【００２７】
ただし、重複ピークの場合、ピーク到達時間を求めても、それは、複数のガス成分のうちの１つのガス成分の保持時間を示すものであり、その最大値（又は極大値）とは関連しない他のガス成分の定性分析については別途何らかの手段が必要となる。
【００２８】
ここで、重複ピークにおいて、ピークの立ち上がり時間の後に出てくる傾きの絶対値の極小値（つまり、時間の早い側の極小値）は、出力値におけるピークの立ち上がり後の最大値（又は極大値）と対応するもので、即ち、重複ピークの立ち上がり後の最大値（又は極大値）に起因するガス成分に対応するものである。さらにその後の時間の遅い側の極小値（クロマトグラフＣ２〜４については傾きの絶対値の値が０でない１つの極小値、クロマトグラフＣ１については傾きの絶対値の値が０である２つの極小値）が、別途定性分析を行う必要がある他のガス成分に起因するものとなる。発明者は、時間の遅い側の極小値における時間（傾きの絶対値の値が０である２つの極小値に起因するガス成分については、２つの極小値のうちのより時間の遅い側の極小値の時間）と、その極小値に起因するガス成分の種類とに関連があることを見出した。
【００２９】
そこで、この分析装置１では、極小値とその極小値に起因するガス成分の種類との関係を様々なガス種について予め求めておき、この関係を定性分析用のデータとして、記憶部に格納したデータベースに保存してある。そして、判定部８は、上記（ａ）において、試料Ｓに複数のガス成分が含まれていると判定した場合は、複数のガス成分のうち、ピークの立ち上がり後の最大値（又は極大値）に関連するガス成分の定性分析を行うのに加えて、他のガス成分について、そのガス成分に起因する極小値（即ち、時間の遅い側の極小値）を対象極小値として選定する。さらに、この対象極小値の時間に基づいて、予めデータベースに格納してある極小値の時間とガス成分の種類との関係を参照して、他のガス成分の同定を行う。
【００３０】
（ｃ）定量分析
通常、クロマトグラムにおける定量分析は、ピークの面積又はピークの高さに基づいて行われる。そして、この判定部８では、ピーク到達時間を保持時間として定性分析を行ったガス成分については、その最大値（又は極大値）をピークの高さとして求めて、このピークの高さと定性分析により求めたガス成分の種類とに基づき、記憶部に格納してあるデータベースを参照することで、ガス成分の濃度を求める。
【００３１】
一方、対象極小値の時間とガス成分の種類との関係から定性分析を行ったガス成分については、発明者は、対象極小値の後に現れる、重複ピークにおける傾きの絶対値の極大値を対象極大値として、これら対象極小値の値や対象極大値の値が、これら極小値・極大値に対応するガス成分の濃度と相関を有することを見出した。
【００３２】
そこで、この分析装置１では、極小値・極大値とこれら極小値・極大値に対応するガス成分の濃度との相関として、対象極小値の値と対象極大値の値との差とこれと対応するガス成分の濃度との相関関係を様々なガス種について予め求めておき（例えば図５における破線参照）、この関係を定量分析用のデータとして、記憶部に格納したデータベースに保存してある。そして、判定部８は、上記（ｂ）において、対象極小値とその対象極小値に起因するガス成分の種類との関係から定性分析を行った他のガス成分については、対象極大値を傾きの絶対値の時間変化から求める。さらに、対象極小値の値と対象極大値の値との差を求めて、予めデータベースに格納してある対象極小値の値と対象極大値の値との差とこれと対応するガス成分の濃度との相関関係を参照して、他のガス成分の濃度を求める。
【００３３】
次に、判定部８の行う分析について具体例を示しながら説明する。具体例として、図２に、エチルベンゼンとｐ−キシレンとの混合ガスを分析対象の試料Ｓとして導入部４に導入した場合のクロマトグラム（縦軸がセンサ７からの出力値、横軸が時間）を示す。図２では、エチルベンゼンの濃度１０ｐｐｍに対し、混合するｐ−キシレンの濃度をそれぞれ異ならせた混合ガスについてのクロマトグラムＣ１〜Ｃ４と、エチルベンゼンのみのガス（濃度１０ｐｐｍ）についてのクロマトグラムＣ５とを示してある。詳しくは、以下の通りである。
Ｃ１：エチルベンゼン  １０ｐｐｍ、ｐ−キシレン  ３ｐｐｍ
Ｃ２：エチルベンゼン  １０ｐｐｍ、ｐ−キシレン  ２ｐｐｍ
Ｃ３：エチルベンゼン  １０ｐｐｍ、ｐ−キシレン  １ｐｐｍ
Ｃ４：エチルベンゼン  １０ｐｐｍ、ｐ−キシレン  ０．５ｐｐｍ
Ｃ５：エチルベンゼン  １０ｐｐｍ、ｐ−キシレン  ０ｐｐｍ
【００３４】
クロマトグラムＣ１〜Ｃ５にはエチルベンゼンとｐ−キシレンとに起因するピークＰが生じている。このピークＰは、クロマトグラムＣ５を除き、時間が早い側（図２中左側）のエチルベンゼンに起因するピークＰｅｂに、時間が遅い側（図２中右側）のｐ−キシレンのピークＰｐｘが重複している重複ピークとなっている。クロマトグラムＣ５についてはエチルベンゼンに起因するピークＰｅｂのみが生じている。以下に、これらクロマトグラムＣ１〜Ｃ５が得られた場合の判定部８が行う（ａ）複数のガス成分が存在することの判定、（ｂ）定性分析、（ｃ）定量分析を示す。なお、エチルベンゼンやｐ−キシレンについて、上記した（ａ）〜（ｃ）の分析を行うために必要な相関関係などのデータは予め実験により求めてあり、これをデータベースに格納してある。
【００３５】
（ａ）複数のガス成分が存在することの判定
判定部８は、クロマトグラムＣ１〜Ｃ５におけるピークＰについて設定時間ごとにその出力値の差分を取り、各区間における傾きの絶対値を求めて、図３，４に示すような、ピークＰにおける傾きの絶対値の時間変化を求める。演算部８は、上記したようにピークＰにおける極小値ｌｍｉｎの数を判定し、極小値ｌｍｉｎが複数検出された場合に、試料に複数のガス成分が存在することを判定する。したがって、判定部８は、クロマトグラムＣ１〜Ｃ４については、クロマトグラムＣ１は極小値ｌｍｉｎが３つ、クロマトグラムＣ２〜Ｃ４は極小値ｌｍｉｎが２つ存在するため、各クロマトグラムＣ１〜Ｃ４に対応する試料については、複数のガス成分が存在すると判定する。一方、クロマトグラムＣ５については極小値ｌｍｉｎが１つしか存在しないため、判定部８は、クロマトグラムＣ５に対応する試料については、複数のガス成分は存在しない（ガス成分が１種類）と判定する。
【００３６】
（ｂ）定性分析
判定部８は、クロマトグラムＣ１〜Ｃ５におけるピークＰの立ち上がり後に最大値Ｐｍａｘに達するピーク到達時間ｔｐを求める。複数のガス成分が存在すると判定したクロマトグラムＣ１〜Ｃ４については、このピーク到達時間ｔｐを複数のガス成分のうちの１つのガス成分の保持時間とし、ガス成分が１種類と判定したクロマトグラムＣ５については、このピーク到達時間ｔｐをそのガス成分の保持時間として、記憶部に格納してあるデータベースを参照し、これら保持時間に対応するガス成分がエチルベンゼンであると判定する。つまり、判定部８は、クロマトグラムＣ１〜Ｃ４に対応する試料については、ガス成分としてエチルベンゼンを含むことを判定し、クロマトグラムＣ５に対応する試料については、その試料がエチルベンゼンであると判定する。
【００３７】
さらに、判定部８は、複数のガス成分が存在すると判定したクロマトグラムＣ１〜Ｃ４については、エチルベンゼン以外のガス成分に起因する極小値ｌｍｉｎとして、時間の遅い側の極小値ｌｍｉｎ（クロマトグラムＣ１については最も時間の遅い側の極小値ｌｍｉｎ）を対象極小値Ｔｍｉｎとして選定する。そして、対象極小値Ｔｍｉｎの時間に基づいて、予めデータベースに格納してある極小値ｌｍｉｎの時間とガス成分の種類との関係を参照し、これら対象極小値Ｔｍｉｎに対応するガス成分がｐ−キシレンであると判定する。
【００３８】
（ｃ）定量分析
判定部８は、クロマトグラムＣ１〜Ｃ５に対し、ピーク到達時間ｔｐを保持時間として定性分析を行ったガス成分、即ち、エチルベンゼンについては、ピークＰの高さを求めて、このピークＰの高さについて記憶部に格納してあるデータベースを参照することで、エチルベンゼンの濃度を求める。
【００３９】
さらに、判定部８は、クロマトグラムＣ１〜Ｃ４について、対象極小値Ｔｍｉｎの時間から定性分析を行ったガス成分、即ち、ｐ−キシレンの濃度を求める。この場合、予め、実験により、エチルベンゼンとｐ−キシレンとの混合ガスにおけるクロマトグラムのピークにおいて、対象極小値Ｔｍｉｎの値と対象極大値Ｔｍａｘの値との差ｄとｐ−キシレンの濃度との相関関係を求めて、データベースに格納しておく。具体的には、この相関関係は、図５に示す破線のようなものとなる。図５は、縦軸が対象極小値Ｔｍｉｎの値と対象極大値Ｔｍａｘの値との差ｄであり、横軸がｐ−キシレンの濃度となっている。この図５の相関関係を利用することにより、対象極小値Ｔｍｉｎの値と対象極大値Ｔｍａｘの値との差ｄがわかれば、ｐ−キシレンの濃度がわかる。
【００４０】
これに基づいて、判定部８は、まず、対象極小値Ｔｍｉｎの後に現れる、ピークＰにおける傾きの絶対値の極大値を求めて、これを対象極大値Ｔｍａｘとして選定する。そして、対象極小値Ｔｍｉｎの値と対象極大値Ｔｍａｘの値との差ｄを求める（図４参照）。そして、判定部８は、この差ｄに基づいて、予めデータベースに格納してある上記相関関係を参照して、ｐ−キシレンの濃度を求める。
【００４１】
このように、図２のクロマトグラムＣ２〜４のように、エチルベンゼンのピークＰｅｂにｐ−キシレンのピークＰｐｘが極大値として現れなくなる場合でも、ピークＰにおける傾きの変化に基づき、例えば、ピークＰにおける傾きの絶対値の極小値ｌｍｉｎを複数検出したときに複数のガス成分が存在することを判定できる。これにより、より確実性高く重複ピークについてのガス成分の判定を行うことができる。また、その方法も、センサ７からの出力値の差分をとって、傾きの変化を求めたり、その極小値ｌｍｉｎや極大値を求めるといった極めて簡易な方法で、複数のガス成分が存在することの判定のみならず、定性分析や定量分析まで行うことができる。つまり、本発明によれば、簡易な方法で、確実性高く重複ピークについてのガス成分の判定を行うことができる。
【００４２】
〔その他の実施形態〕
最後に、分析装置１のその他の実施形態について説明する。なお、以下のそれぞれの実施形態で開示される構成は、矛盾が生じない限り、他の実施形態で開示される構成と組み合わせて適用することも可能である。
【００４３】
（１）上述の実施形態では、エチルベンゼンとｐ−キシレンとの混合ガスを試料Ｓとして分析した例を説明した。しかし、本発明の実施形態はこれに限定されない。例えば、ｍ−キシレンとｏ−キシレンとの混合ガスなど、クロマトグラフに複数のガス成分に起因するピークが重複して現れる重複ピークを有するものであればどのようなものであってもよい。また、３種以上のガス成分に起因するピークが重複して現れる重複ピークを有するものであってもよい。
【００４４】
（２）上述の実施形態では、判定部８が、（ａ）複数のガス成分が存在することの判定を、ピークＰの傾きの絶対値の極小値ｌｍｉｎの数に基づいて行う構成を例に説明した。しかし、本発明の実施形態はこれに限定されない。例えば、ピークＰの傾きの絶対値の極大値の数など、ピークＰの傾きの変化に関する他の基準を用いて、判定を行ってもよい。
【００４５】
（３）判定部８は、（ａ）複数のガス成分が存在することの判定において、さらに、試料Ｓに含まれるガス成分の種類数も判定可能にしてもよい。例えば、図３に示されるように、２種のガス成分のピークが重複する重複ピークでは、２種のガス成分のうちの一方のガス成分に起因する１つの極小値ｌｍｉｎ（時間が早い側）に加え、他方のガス成分に起因する極小値ｌｍｉｎとして、値が０でない極小値ｌｍｉｎが１つ（クロマトグラムＣ２〜Ｃ４の場合）、又は、値が０である極小値ｌｍｉｎが２つ（クロマトグラムＣ１の場合）となっている。このような極小値ｌｍｉｎの値とその数とガス成分と数との関係に基づいて、値が０でない極小値ｌｍｉｎの数と、値が０である極小値ｌｍｉｎの数とから、試料Ｓに含まれるガス成分の種類数を判定してもよい。
【００４６】
（４）上述の実施形態では、判定部８が、（ｃ）定量分析において、対象極小値Ｔｍｉｎの値と対象極大値Ｔｍａｘの値との差ｄとこれと対応するガス成分の濃度との相関関係を利用して、そのガス成分の濃度を求める構成を例に説明した。しかし、本発明の実施形態はこれに限定されない。例えば、値及び前記対象極大値Ｔｍａｘの値のいずれか一方とこれと対応するガス成分の濃度との相関関係を利用して、ガス成分の濃度を求めてもよい。
【００４７】
（５）上述の実施形態では、判定部８が、（ａ）複数のガス成分が存在することの判定、判定したガス成分についての（ｂ）定性分析及び（ｃ）定量分析を行う構成を例に説明した。しかし、本発明の実施形態はこれに限定されない。例えば、判定器８は、（ａ）複数のガス成分が存在することの判定のみを行うものであってもよい。また、（ａ）複数のガス成分が存在することの判定と、判定したガス成分についての（ｂ）定性分析のみを行うものであってもよい。
【００４８】
（６）分析装置１は、判定部８の分析結果（例えば、複数のガス成分が含まれていると判定された場合など）に応じて警報を発する警報手段、判定部８の分析結果を表示する表示手段、判定部８の分析結果を管理者の携帯端末等に送信する通信手段を有するものであってもよい。
【００４９】
（７）本発明に係る分析装置１は、いわゆるクロマトグラフに判定部８を備える単一の機器であってもよく、又は、ガス成分の検出を行うクロマトグラフとその検出結果を分析するパソコンなどの判定部８としてのコンピュータとからなるものであってもよい。
【００５０】
（８）本発明に係る分析装置１は、据え置き式であってもよく、又は、ポータブル式であってもよい。ポータブル式とする場合、分析装置１におけるガスボンベ２に代えて、周囲空気を導入するエアフィルタを採用するなど、構成を簡易なものとすると好適である。
【００５１】
（９）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００５２】
本発明は、ガスクロマトグラフィにおけるガス成分の分析に利用することができる。
【符号の説明】
【００５３】
１            分析装置
８            判定部
Ｃ１〜Ｃ５    クロマトグラム
Ｐ            重複ピーク
Ｐｅｂ        エチルベンゼンのピーク（あるガス成分のピーク）
Ｐｐｘ        ｐ−キシレンのピーク（他のガス成分のピーク）
ｌｍｉｎ      極小値
Ｔｍｉｎ      対象極小値
Ｔｍａｘ      対象極大値
ｄ            対象極小値の値と対象極大値の値との差
【図１】
0006541357.tif 000002
【図２】
0006541357.tif 000003
【図３】
0006541357.tif 000004
【図４】
0006541357.tif 000005
【図５】
0006541357.tif 000006